(57)【要約】      （修正有）【課題】よりコストが低い光学素子の位置調整機構の提供。【解決手段】標本を観察するための光学素子Ｂと、光学素子Ｂを支持する顕微鏡本体と、を有する顕微鏡に設けられ、光学素子Ｂの顕微鏡本体に対する位置を調整する光学素子Ｂの位置調整機構１であって、顕微鏡本体に取り付けられる固定部２ａと、固定部２ａから延在する延在部２ｂ，２ｃとを備え、延在部２ｂ，２ｃが光学素子Ｂの光軸に垂直な方向に移動するように弾性変形する弾性部材２を有し、弾性部材２の延在部２ｃに、光学素子Ｂが取り付けられている。【選択図】図２
2010281976.tif 000002
【特許請求の範囲】
【請求項１】
標本を観察するための光学素子と、該光学素子を支持する顕微鏡本体と、を有する顕微鏡に設けられ、前記光学素子の前記顕微鏡本体に対する位置を調整する光学素子の位置調整機構であって、
顕微鏡本体に取り付けられる固定部と、該固定部から延在する延在部とを備え、該延在部が前記光学素子の光軸に垂直な方向に移動するように弾性変形する弾性部材を有し、
該弾性部材の前記延在部に、前記光学素子が取り付けられていることを特徴とする光学素子の位置調整機構。
【請求項２】
前記光学素子は、前記弾性部材に対して前記光学素子の光軸に沿ってスライド移動可能に該弾性部材に取り付けられていることを特徴とする請求項１に記載の光学素子の位置調整機構。
【請求項３】
先端部が前記弾性部材に当接し、かつ該弾性部材に対して進退可能に顕微鏡本体に配設された操作部材を備え、該操作部材を進退させることにより前記弾性部材を弾性変形させることを特徴とする請求項１に記載の光学素子の位置調整機構。
【請求項４】
前記弾性部材は、前記光学素子の光軸と平行に形成された面を有し、
該面に前記操作部材の先端部が当接されていることを特徴とする請求項３に記載の光学素子の位置調整機構。
【請求項５】
前記延在部は、第一バネ部と第二バネ部とを有し、
前記第一バネ部は、前記固定部に対して前記光学素子の光軸と平行な屈曲線を介して屈曲した形状に形成され、前記第二バネ部は、前記第一バネ部に対して前記光学素子の光軸と平行な屈曲線を介して屈曲した形状に形成されていることを特徴とする請求項１に記載の光学素子の位置調整機構。
【請求項６】
前記延在部は、前記光学素子が取り付けられる取付部と、該取付部の両端部から延在する一対の腕部とを有し、
該一対の腕部の延在方向先端部に前記固定部がそれぞれ設けられていることを特徴とする請求項１に記載の光学素子の位置調整機構。
【発明の詳細な説明】
【技術分野】
【０００１】
本発明は、顕微鏡における光学素子の位置調整機構に関する。
【背景技術】
【０００２】
従来、顕微鏡における光学素子の位置調整機構として、例えば、コンデンサレンズの位置調整機構が知られている（例えば、特許文献１参照）。コンデンサレンズは、コンデンサ枠体に固定され、コンデンサ枠体は、顕微鏡本体に設けられたコンデンサ受けに取り付けられている。コンデンサ枠体は、所謂スライドアリ構造によってコンデンサ受けに取り付けられている。
【０００３】
スライドアリ構造は、コンデンサ受けに設けられたアリ溝と、コンデンサ枠体の外周に設けられたアリホゾとから構成されている。コンデンサ枠体は、アリホゾをアリ溝に嵌合させるようにして、コンデンサ受けに取り付けられている。また、コンデンサ枠体は、コンデンサ受けにおいてステージに対して水平方向に摺動可能に設けられている。
【０００４】
コンデンサ受けには、コンデンサ枠体をステージに対して水平方向に付勢する板バネと、コンデンサ枠体を押圧する一対の調整ツマミとを備えている。そして、板バネに付勢されているコンデンサ枠体を調整ツマミによって押圧することにより、コンデンサレンズの標本に対する水平方向の位置を調整するようになっている。
【先行技術文献】
【特許文献】
【０００５】
【特許文献１】特開平１０−３１１９５２号公報
【発明の概要】
【発明が解決しようとする課題】
【０００６】
しかし、スライドアリ構造は、フライス盤を使用して加工する必要があり、製造にコストがかかる。従って、上述のようなスライドアリ構造を使用した位置調整機構は、コストが高いという問題があった。
【０００７】
尚、上述の問題は、コンデンサレンズに限られず、スライドアリ構造を有する光学素子の位置調整機構に共通する問題である。
【０００８】
そこで、本発明はこのような従来の問題に鑑み、よりコストが低い光学素子の位置調整機構の提供を目的とする。
【課題を解決するための手段】
【０００９】
上述した課題を解決し、目的を達成するために、本発明の請求項１にかかる光学素子の位置調整機構は、標本を観察するための光学素子と、該光学素子を支持する顕微鏡本体と、を有する顕微鏡に設けられ、前記光学素子の前記顕微鏡本体に対する位置を調整する光学素子の位置調整機構であって、顕微鏡本体に取り付けられる固定部と、該固定部から延在する延在部とを備え、該延在部が前記光学素子の光軸に垂直な方向に移動するように弾性変形する弾性部材を有し、該弾性部材の前記延在部に、前記光学素子が取り付けられていることを特徴とする。
【００１０】
また、本発明の請求項２にかかる光学素子の位置調整機構は、上記構成に加えて、前記光学素子は、前記弾性部材に対して前記光学素子の光軸に沿ってスライド移動可能に該弾性部材に取り付けられていることを特徴とする。
【００１１】
また、本発明の請求項３にかかる光学素子の位置調整機構は、上記構成に加えて、先端部が前記弾性部材に当接し、かつ該弾性部材に対して進退可能に顕微鏡本体に配設された操作部材を備え、該操作部材を進退させることにより前記弾性部材を弾性変形させることを特徴とする。
【００１２】
また、本発明の請求項４にかかる光学素子の位置調整機構は、上記構成に加えて、前記弾性部材は、前記光学素子の光軸と平行に形成された面を有し、該面に前記操作部材の先端部が当接されていることを特徴とする。
【００１３】
また、本発明の請求項５にかかる光学素子の位置調整機構は、上記構成に加えて、前記延在部は、第一バネ部と第二バネ部とを有し、前記第一バネ部は、前記固定部に対して前記光学素子の光軸と平行な屈曲線を介して屈曲した形状に形成され、前記第二バネ部は、前記第一バネ部に対して前記光学素子の光軸と平行な屈曲線を介して屈曲した形状に形成されていることを特徴とする。
【００１４】
また、本発明の請求項６にかかる光学素子の位置調整機構は、上記構成に加えて、前記延在部は、前記光学素子が取り付けられる取付部と、該取付部の両端部から延在する一対の腕部とを有し、該一対の腕部の延在方向先端部に前記固定部がそれぞれ設けられていることを特徴とする。
【発明の効果】
【００１５】
本発明にかかる光学素子の位置調整機構は、光学素子が、光学素子の光軸と垂直な方向に光学素子を移動させるように弾性変形する弾性部材に取り付けられている。従って、スライドアリ構造のようなフライス盤を使って製造するコストのかかる取付構造がなくとも位置調整ができ、低コストで製造できる。
【図面の簡単な説明】
【００１６】
【図１】図１は、本発明の実施の形態１にかかる光学素子の位置調整機構を示す平面図である。
【図２】図２は、同上の光学素子の位置調整機構を示す平面図である。
【図３】図３は、同上の光学素子の位置調整機構を後方側から見た状態を示す断面図である。
【図４】図４は、同上の光学素子の位置調整機構を示す斜視図である。
【図５】図５は、同上の光学素子の位置調整機構を示す側断面図である。
【図６】図６は、同上の光学素子の位置調整機構を示す正断面図である。
【図７】図７は、同上の光学素子の位置調整機構のコンデンサ枠の弾性部材に対する取り付け構造を示す平断面図である。
【図８】図８は、同上の光学素子の位置調整機構を示す平面図である。
【図９】図９は、同上の光学素子の位置調整機構を示す平面図である。
【図１０】図１０は、同上の光学素子の位置調整機構を側面やや後方側から見た状態を示す側面図である。
【図１１】図１１は、同上の光学素子の位置調整機構を示す正断面図である。
【図１２】図１２は、本発明の実施の形態２にかかる光学素子の位置調整機構を示す斜視図である。
【図１３】図１３は、同上の光学素子の位置調整機構を示す平面図である。
【図１４】図１４は、同上の光学素子の位置調整機構を示す平面図である。
【図１５】図１５は、同上の光学素子の位置調整機構を示す平面図である。
【発明を実施するための形態】
【００１７】
以下に、本発明に係る光学素子の位置調整機構の実施の形態を図面に基づいて詳細に説明する。以下、図においてＸ軸方向が顕微鏡の左右方向であり、Ｙ軸方向が顕微鏡の前後方向であり、Ｚ軸方向が顕微鏡の上下方向である。また、Ｙ軸の負の方向が顕微鏡の前側（正面側）、正の方向が顕微鏡の後側である。
【００１８】
（実施の形態１）
以下、本発明の実施の形態１にかかる光学素子の位置調整機構について、図１〜図１１に基づいて説明する。図１において光学素子の位置調整機構１は、顕微鏡Ａに備えられ、光学素子であるコンデンサレンズＢの位置を調整するものである。顕微鏡Ａは、標本が載置されるステージＣと、標本を観察するための複数の光学素子と、ステージＣと光学素子とを支持する顕微鏡本体Ｄとを有する。位置調整機構１は、顕微鏡本体Ｄに支持されている。ステージＣの上面は、標本が載置される標本載置面Ｅとなっている。この顕微鏡Ａは、所謂正立型顕微鏡である。顕微鏡Ａには、光学素子として、対物レンズと、接眼レンズが備えられている。顕微鏡本体Ｄの下部には、光源が設置されている。光源から出射された光は、コンデンサレンズＢを通って、ステージＣ上の標本に照射される。そして、標本を透過した光は、対物レンズをとおって接眼レンズに達し観察される。
【００１９】
図２において位置調整機構１は、コンデンサレンズＢを顕微鏡本体Ｄに対して、コンデンサレンズＢの光軸Ｌに沿った方向と、光軸Ｌと垂直な方向とに移動させて位置を調整する。位置調整機構１は、コンデンサレンズＢのステージＣに対する位置を調整する。位置調整機構１は、弾性部材２と、フレーム枠３とを有する。弾性部材２には、コンデンサレンズＢが取り付けられ、弾性部材２の一部分がフレーム枠３に固定されている。弾性部材２が弾性変形することにより、コンデンサレンズＢの位置調整移動がガイドされるようになっている。また、フレーム枠３は、弾性部材２及びコンデンサレンズＢを囲むように形成され、顕微鏡本体Ｄに固定されている。フレーム枠３には、操作部材が設けられ、この操作部材によって、弾性部材２を弾性変形させるようになっている。
【００２０】
フレーム枠３は、支持部３ａと第一腕部３ｂと第二腕部３ｃとを有している。支持部３ａは、略直方体状に形成され、顕微鏡本体Ｄに固定されている。支持部３ａは、支持部３ａの一面が顕微鏡Ａの前側を向くように配設されている。第一腕部３ｂは、略矩形板状に形成され、支持部３ａの一面から略垂直方向に突出し、その板状面が顕微鏡Ａの側面方向を向くように配設されている。第二腕部３ｃは、略矩形状に形成され、第一腕部３ｂの突出方向先端から略垂直方向に突出し、その板状面が支持部３ａの一面と対向するように配設されている。このように、フレーム枠３は、断面略コ字状に形成されている。
【００２１】
フレーム枠３には、操作部材であるＸ軸ツマミ１１とＹ軸ツマミ１２とＺ軸ツマミ１３とが設置されている。Ｘ軸ツマミ１１は、フレーム枠３の第一腕部３ｂに設置されている。Ｘ軸ツマミ１１は、略棒状に形成され外周にネジが切られている。フレーム枠３の第一腕部３ｂには、Ｘ軸ツマミ１１に対応するネジ孔が表裏に貫通するように形成されており、このネジ孔にＸ軸ツマミ１１がねじ込まれている。Ｘ軸ツマミ１１は、図２において、その中心軸がＸ軸方向に沿うように配設され、Ｘ軸方向に往復移動可能となっている。Ｘ軸ツマミ１１の長さ方向一端側は、操作部１１ａとなっており、フレーム枠３の外側に突出している。Ｘ軸ツマミ１１の長さ方向他端側の先端部１１ｂは球形状に形成され、フレーム枠３の内側に突出している。この先端部１１ｂは、後述する弾性部材２に当接されている。また、Ｘ軸ツマミ１１のフレーム枠３内に突出している部分には、六角ナット１５が配設され、Ｘ軸ツマミ１１の抜け止めとなっている。
【００２２】
Ｙ軸ツマミ１２は、フレーム枠３の第二腕部３ｃに設置されている。Ｙ軸ツマミ１２は、略棒状に形成され外周にネジが切られている。フレーム枠３の第二腕部３ｃには、Ｙ軸ツマミ１２に対応するネジ孔が表裏に貫通するように形成されており、このネジ孔にＹ軸ツマミ１２がねじ込まれている。Ｙ軸ツマミ１２は、図２において、その中心軸がＹ軸方向に沿うように配設され、Ｙ軸方向に往復移動可能となっている。Ｙ軸ツマミ１２の長さ方向一端側は、操作部１２ａとなっており、フレーム枠３の外側に突出している。Ｙ軸ツマミ１２の長さ方向他端側の先端部１２ｂは球形状に形成され、フレーム枠３の内側に突出している。この先端部１２ｂは、後述する弾性部材２に当接されている。Ｙ軸ツマミ１２のフレーム枠３内に突出している部分には、六角ナット１５が配設され、Ｙ軸ツマミ１２の抜け止めとなっている。
【００２３】
Ｚ軸ツマミ１３は、フレーム枠３の第二腕部３ｃに設置されている。Ｚ軸ツマミ１３は、略棒状に形成され外周にネジが切られている。フレーム枠３の第二腕部３ｃには、Ｚ軸ツマミ１３に対応するネジ孔が表裏に貫通するように形成されており、このネジ孔にＺ軸ツマミ１３がねじ込まれている。Ｚ軸ツマミ１３は、第二腕部３ｃの下部に、外側から内側に向けて、その軸方向が斜め上方を向くように配設されている。Ｚ軸ツマミ１３は、軸方向に往復移動可能となっている。Ｚ軸ツマミ１３の長さ方向一端側は、操作部１３ａとなっており、フレーム枠３の外側に突出している。Ｚ軸ツマミ１３の長さ方向他端側の先端部１３ｂは球形状に形成され、フレーム枠３の内側に突出している。この先端部１３ｂは、後述する弾性部材２に当接されている。Ｚ軸ツマミ１３のフレーム枠３内に突出している部分には、六角ナット１５が配設され、Ｚ軸ツマミ１３の抜け止めとなっている。Ｚ軸ツマミ１３は、Ｙ軸ツマミ１２の下側に配設されている。
【００２４】
弾性部材２は、顕微鏡本体Ｄ対して固定される基部２ａ（固定部）と、基部２ａから延在する延在部とを有している。基部２ａは、略矩形の板状に形成され、フレーム枠３の支持部３ａの一面に、その板状面を重ね合わせるようにして固定されている。即ち、基部２ａは、その板状面が図においてＹ軸方向を向くように配設されている。また、基部２ａは、略四隅の部分を支持部３ａにビス２０によって固定されている。基部２ａには、基部２ａの一部を切り起こして付勢部２１が形成されている。付勢部２１は、Ｙ軸ツマミ１２の押圧方向に対向するようにコンデンサレンズＢを付勢する部分である。付勢部２１は、略矩形状に形成され、図においてＸ軸方向の端部を基端部として切り起こされている。
【００２５】
延在部は、第一バネ部２ｂと第二バネ部２ｃとを有している。第一バネ部２ｂは、基部２ａの端辺から略垂直に顕微鏡Ａ前側に向けて突出するように配設されている。第一バネ部２ｂは、矩形板状に形成され、基部２ａに対して、コンデンサレンズＢの光軸と平行な屈曲線を介して、屈曲した形状に形成されている。第一バネ部２ｂは、その板状面とフレーム枠３の第一腕部３ｂの板状面とが対向するように配設されている。第一バネ部２ｂは、その板状面が、コンデンサレンズＢの光軸Ｌと平行となるように配設されている。第一バネ部２ｂの板状面は、図においてＸ軸方向に弾性変形する。尚、図においてＸ軸及びＹ軸を含む面は、コンデンサレンズＢの光軸Ｌと垂直となっている。また、第一バネ部２ｂには、Ｘ軸ツマミ１１の先端部が接している。Ｘ軸ツマミ１１の先端部は、第一バネ部２ｂにおいて、第二バネ部２ｃ側の端部に接するようになっている。
【００２６】
第二バネ部２ｃは、第一バネ部２ｂの突出方向端部から、基部２ａの板状面と対向するように配設されている。第二バネ部２ｃは、矩形板状に形成され、第一バネ部２ｂに対して、コンデンサレンズの光軸Ｌと平行な屈曲線を介して、屈曲した形状に形成されている。第二バネ部２ｃは、その板状面と、フレーム枠３の第二腕部３ｃの板状面とが対向するように配設されている。第二バネ部２ｃは、その板状面が、コンデンサレンズＢの光軸と平行となるように配設されている。第二バネ部２ｃは、コンデンサレンズＢの光軸Ｌと垂直な方向に弾性変形する。第二バネ部２ｃには、フレーム枠３の第二腕部３ｃに配設されたＹ軸ツマミ１２の先端部１２ｂが接するようになっている。Ｙ軸ツマミ１２は、第二腕部３ｃにおいて、Ｙ軸ツマミ１２の軸方向延長線が、略コンデンサレンズＢの光軸Ｌ付近を通る位置に配設されている。
【００２７】
第二バネ部２ｃには、折り曲げ部２２が形成されている。折り曲げ部２２は、第二バネ部２ｃの下側を内側向きに折り曲げた部分であり、コンデンサ枠３１の下側端部に当接されている。また、この折り曲げ部２２にＺ軸ツマミ１３の先端部が当接されるようになっている。Ｚ軸ツマミ１３は、第二腕部３ｃにおいて、Ｚ軸ツマミ１３の中心軸の延長線が、略コンデンサレンズＢの中心軸付近を通る位置に配設されている。
【００２８】
第二バネ部２ｃには、図６に示すように、二本のスリット状のガイド孔２３が互いに平行に形成されている。このガイド孔２３は、第二バネ部２ｃの表裏を貫通し、その開口部が上下方向に延在するように配設されている。このガイド孔２３を貫通するように、後述するコンデンサ枠３１に設けられたガイドビス３２が配設されている。コンデンサレンズＢは、ガイドビス２０及びコンデンサ枠３１を介して、第二バネ部２ｃに取り付けられている。弾性部材２は、一枚の金属板を折り曲げて基部２ａと第一バネ部２ｂと第二バネ部２ｃを構成し略コ字状に形成されている。
【００２９】
コンデンサレンズＢは、コンデンサ枠３１に固定されている。コンデンサ枠３１は、略円筒状に形成され、内部にコンデンサレンズＢが嵌め込まれている。コンデンサ枠３１の側面には、弾性部材２に取り付けられる面である取付面３１ａが形成されている。この取付面３１ａは、略平面状に形成されている。コンデンサ枠３１の取付面３１ａには、一対のガイドビス３２が突設されている。ガイドビス３２は、互いに略平行に配設されている。ガイドビス３２としては、所謂段付きビスを使用している。ガイドビス３２は、第二バネ部２ｃのガイド孔２３に挿入されている。コンデンサ枠３１は、ガイドビス３２を介して第二バネ部２ｃに取り付けられている。
【００３０】
ガイドビス３２は、長さ方向先端から他端にかけて、頭部３２ａと段部３２ｂとネジ部３２ｃとから構成されている。頭部３２ａは、最も大きな径で形成され、ネジ部３２ｃが最も小さな径で形成されている。また、段部３２ｂは、弾性部材２の第二バネ部２ｃと略同じ厚さに形成されている。そして、ネジ部３２ｃがコンデンサ枠３１にねじ込まれている。また、ガイドビス３２の段部３２ｂが、第二バネ部２ｃのガイド孔２３に挿入されている。ガイドビス３２の段部３２ｂの径は、ガイド孔２３の開口の短手方向の長さと略同じに形成されており、ガイドビス３２がガイド孔２３の開口の長手方向にスライド可能になっている。
【００３１】
コンデンサ枠３１の取付面３１ａは、弾性部材２の第二バネ部２ｃの内側板状面に当接されている。コンデンサ枠３１は、ガイドビス３２の段部３２ｂがガイド孔２３に嵌り、ガイドビス３２の頭部３２ａとコンデンサ枠３１によって第二バネ部２ｃを挟むようにして、第二バネ部２ｃに取り付けられている。コンデンサ枠３１は、ガイドビス３２がガイド孔２３をスライドすることにより、第二バネ部２ｃに対してガイド孔２３の開口長手方向に摺動する。即ち、コンデンサレンズＢの光軸に沿った方向に摺動する。また、コンデンサ枠３１は、コンデンサレンズＢの光軸Ｌに対し垂直な方向へは、第二バネ部と一体に動く。
【００３２】
コンデンサ枠３１の側面には、取付面３１ａの反対側に付勢部当接面３１ｂが形成されている。この付勢部当接面３１ｂは、略平面状に形成され、付勢部２１の板状面と面接触するようになっている。そして、この付勢部当接面３１ｂに付勢部２１が当接され、コンデンサ枠３１が顕微鏡Ａ前側に付勢されている。
【００３３】
このように構成されている位置調整機構１の作用について説明する。Ｘ軸ツマミ１１の操作部をつまんで回転させると、Ｘ軸ツマミ１１の先端部がより突出する方向にＸ軸ツマミ１１が移動する。そうすると、Ｘ軸ツマミ１１の先端部が第一バネ部２ｂを押圧するので、弾性部材２は、第一バネ部２ｂが基部２ａ側端部を支点としてＸ軸の正方向の向きに回転するように、弾性変形する。このようにしてコンデンサレンズＢが、図８においてＸ軸の正方向に移動する。図８は、Ｘ軸ツマミ１１の先端部を最も突出させた状態を示している。
【００３４】
また、Ｘ軸ツマミ１１を逆回転させ、Ｘ軸ツマミ１１を逆方向に移動させると、弾性部材２の復元力によって、第一バネ部２ｂが先程とは反対向きに回転し、コンデンサレンズＢが図においてＸ軸の負方向に移動する。このように、Ｘ軸ツマミ１１を軸方向へ往復移動させることにより、コンデンサレンズＢのＸ軸方向の移動（位置調整）が可能となっている。
【００３５】
続いて、Ｙ軸ツマミ１２の操作部をつまんで回転させると、Ｙ軸ツマミ１２の先端部がより突出する方向にＹ軸ツマミ１２が移動する。そうすると、Ｙ軸ツマミ１２の先端部が第二バネ部２ｃを押圧するので、弾性部材２は、第二バネ部２ｃが第一バネ部２ｂ側端部を支点として回転するように、弾性変形する。このようにして、コンデンサレンズＢが図においてＹ軸方向に移動する。図９は、Ｙ軸ツマミ１２の先端部を最も突出させた状態を示している。この際には、コンデンサ枠３１の付勢部当接面３１ｂが付勢部２１を押圧するので、付勢部２１も弾性変形する。
【００３６】
また、Ｙ軸ツマミ１２を逆回転させ、Ｙ軸ツマミ１２を逆方向に移動させると、弾性部材２の復元力及び付勢部２１の押圧力によって、第二バネ部２ｃが先程とは反対向きに回転し、コンデンサレンズＢが図においてＹ軸の負方向に移動する。このように、Ｙ軸ツマミ１２を軸方向へ往復移動させることにより、コンデンサレンズＢのＹ軸方向の移動（位置調整）が可能となっている。
【００３７】
続いて、Ｚ軸ツマミ１３の操作部をつまんで回転させると、Ｚ軸ツマミ１３の先端部がより突出する方向にＺ軸ツマミ１３が移動する。そうすると、Ｚ軸ツマミ１３の先端部が第二バネ部２ｃの折り曲げ部２２を押圧するので、折り曲げ部２２は、折り曲げ部２２がより折れ曲がる方向に弾性変形する。そうすると、折り曲げ部２２がコンデンサ枠３１を上向きに押圧するので、コンデンサ枠３１が、上方に移動する。このようにして、コンデンサレンズＢが図においてＺ軸方向に移動する。図１０は、Ｚ軸ツマミ１３の先端部を最も突出させた状態を示している。
【００３８】
また、Ｚ軸ツマミ１３を逆回転させ、Ｚ軸ツマミ１３を逆方向に移動させると、折り曲げ部２２が開き方向に弾性変形し、コンデンサ枠３１はコンデンサ枠３１の自重により下方に移動する。このように、Ｚ軸ツマミ１３を軸方向へ往復移動させることにより、コンデンサレンズＢのＺ軸方向の移動（位置調整）が可能となっている。
【００３９】
上述のように構成されている光学素子の位置調整機構１は、第二バネ部２ｃをコンデンサレンズＢの光軸Ｌと垂直な方向に移動するように弾性変形する弾性部材２を有し、その第二バネ部２ｃに位置調整を行う光学素子であるコンデンサレンズＢを取り付けているので、スライドアリ構造のようなフライス盤を使って製造するコストのかかる取付構造がなくとも位置調整ができ、低コストで製造できる。更に、位置調整機構１は、コンデンサレンズＢの移動をガイドする弾性部材２を一枚の板を折り曲げて形成しており、従来のスライドアリ構造を有する位置調整機構と比べて部品点数及び加工工数が少ないので、低コストで製造することができる。
【００４０】
（実施の形態２）
次に、本実施の形態２の光学素子の位置調整機構について図１２〜図１５に基づいて説明する。尚、上述した実施の形態１と同一の構成を有するものには同一の符号を付す。
【００４１】
本実施の形態２にかかる光学素子の位置調整機構４０は、顕微鏡Ａに備えられ、光学素子であるコンデンサレンズＢの顕微鏡本体Ｄに対する位置を調整するものである。位置調整機構４０は、顕微鏡本体Ｄに支持されている。
【００４２】
位置調整機構４０は、コンデンサレンズＢを顕微鏡本体Ｄに対して、コンデンサレンズＢの光軸Ｌに沿った方向と、光軸Ｌと垂直な方向とに移動させてコンデンサレンズＢの位置を調整する。位置調整機構４０は、コンデンサレンズＢのステージＣに対する位置を調整する。位置調整機構４０は、弾性部材５１と、フレーム枠４１とを有する。弾性部材５１には、コンデンサレンズＢが取り付けられ、弾性部材５１の一部分がフレーム枠４１に固定されている。弾性部材５１が弾性変形することにより、コンデンサレンズＢの位置調整移動がガイドされるようになっている。また、フレーム枠４１は、弾性部材５１及びコンデンサレンズＢを囲むように形成され、顕微鏡本体Ｄに固定されている。フレーム枠４１には、操作部材が設けられ、この操作部材によって、弾性部材５１を弾性変形させるようになっている。
【００４３】
フレーム枠４１は、支持部４１ａと基底部４１ｂと第一壁部４１ｃと第二壁部４１ｄとを有している。支持部４１ａは、略直方体状に形成され、顕微鏡本体Ｄに固定されている。支持部４１ａは、支持部４１ａの一面が顕微鏡Ａの前側を向くように配設されている。基底部４１ｂは、略矩形板状に形成されているとともに、支持部４１の一面から突出するように配設され、その板状面がステージＣの標本載置面Ｅと略平行となっている。基底部４１ｂには、その表裏を貫通する貫通孔４２が形成されている。この貫通孔４２は、コンデンサレンズＢの光軸Ｌと略同軸配置に形成されている。
【００４４】
第一壁部４１ｃは、略矩形板状に形成され、基底部４１ｂの上面から上面と略垂直に突出し、その板状面が顕微鏡Ａの側面方向を向くように配設されている。また、第一壁部４１ｃは、支持部４１ａの一面と略垂直となるように配設されている。第二壁部４１ｄは、略矩形板状に形成され、基底部４１ｂの上面から上面と略垂直に突出し、その板状面が顕微鏡Ａの前面方向を向くように配設されている。第二壁部４１ｄの板状面は、支持部４１ａの一面と対向するように配設されている。また、第一壁部４１ｃと第二壁部４１ｄは一体に形成されており、断面が略Ｌ字状となっている。
【００４５】
フレーム枠４１には、操作部材であるＸ軸ツマミ１１とＹ軸ツマミ１２とＺ軸ツマミ１３とが設置されている。Ｘ軸ツマミ１１は、フレーム枠４１の第一壁部４１ｃに設置されている。フレーム枠４１の第一壁部４１ｃには、Ｘ軸ツマミ１１に対応するネジ孔が表裏に貫通するように形成されており、このネジ孔にＸ軸ツマミ１１がねじ込まれている。Ｘ軸ツマミ１１は、図１３において、その中心軸がＸ軸方向に沿うように配設され、Ｘ軸方向に往復移動可能となっている。Ｘ軸ツマミ１１の操作部１１ａは、フレーム枠４１の外側に突出している。Ｘ軸ツマミ１１の先端部１１ｂは、フレーム枠４１の内側に突出している。この先端部１１ｂは、後述する弾性部材５１に当接されている。また、Ｘ軸ツマミ１１のフレーム枠４１内に突出している部分には、六角ナット１５が配設され、Ｘ軸ツマミ１１の抜け止めとなっている。
【００４６】
Ｙ軸ツマミ１２は、フレーム枠４１の第二壁部４１ｄに設置されている。フレーム枠４１の第二壁部４１ｄには、Ｙ軸ツマミ１２に対応するネジ孔が表裏に貫通するように形成されており、このネジ孔にＹ軸ツマミ１２がねじ込まれている。Ｙ軸ツマミ１２は、図１３において、その中心軸がＹ軸方向に沿うように配設され、Ｙ軸方向に往復移動可能となっている。Ｙ軸ツマミ１２の操作部１２ａは、フレーム枠４１の外側に突出している。Ｙ軸ツマミ１２の先端部１２ｂは、フレーム枠４１の内側に突出している。この先端部１２ｂは、後述する弾性部材５１に当接されている。Ｙ軸ツマミ１２のフレーム枠４１内に突出している部分には、六角ナット１５が配設され、Ｙ軸ツマミ１２の抜け止めとなっている。
【００４７】
Ｚ軸ツマミ１３は、フレーム枠４１の第二壁部４１ｄに設置されている。フレーム枠４１の第二壁部４１ｄには、Ｚ軸ツマミ１３に対応するネジ孔が表裏に貫通するように形成されており、このネジ孔にＺ軸ツマミ１３がねじ込まれている。Ｚ軸ツマミ１３は、第二壁部４１ｄの下部に、外側から内側に向けて、その軸方向が斜め上方を向くように配設されている。Ｚ軸ツマミ１３は、軸方向に往復移動可能となっている。Ｚ軸ツマミ１３の操作部１３ａは、フレーム枠４１の外側に突出している。Ｚ軸ツマミ１３の先端部１３ｂは、フレーム枠４１の内側に突出している。この先端部１３ｂは、後述する弾性部材５１に当接されている。Ｚ軸ツマミ１３のフレーム枠４１内に突出している部分には、六角ナット１５が配設され、Ｚ軸ツマミ１３の抜け止めとなっている。Ｚ軸ツマミ１３は、Ｙ軸ツマミ１２の下側に配設されている。
【００４８】
弾性部材５１は、フレーム枠４１によって囲まれる位置に配設されている。弾性部材５１は、顕微鏡本体Ｄに固定される基部５１ａ（固定部）と、基部５１ａから延在する延在部とを有している。基部５１ａは、略矩形板状に形成され、フレーム枠４１の支持部４１ａの一面に、その板状面を重ね合わせるようにして固定されている。基部５１ａは、フレーム枠４１を介して顕微鏡本体Ｄに固定されている。基部５１ａは、その板状面が図においてＹ軸方向を向くように配設されている。また、基部５１ａは、支持部４１ａにビス２０によって固定されている。基部５１ａは、対に形成されており、支持部４１ａの板状面において、図においてＸ軸方向に互いに間隔を空けて配設されている。基部５１ａには、基部５１ａの端部から、支持部４１ａの一面から突出するように、延在部が形成されている。
【００４９】
延在部は、二対のバネ部５１ｂ（腕部）と一対の押し付け部５１ｃと一対の側面当接部５１ｄと取付部５１ｅと折り曲げ部５１ｆとを有している。バネ部５１ｂは、基部５１ａの端部から、支持部４１ａの一面から突出する方向に延在するように配設されている。バネ部５１ｂは、長方形板状の部材を、端辺に平行かつ互いに平行な一対の折り曲げ線を介して２箇所互いに反対方向に折り曲げた形状に形成されている。即ち、バネ部５１ｂは、コンデンサレンズＢの光軸Ｌと平行な折り曲げ線を介して屈曲した形状に形成されている。そして、バネ部５１ｂは、光軸Ｌと垂直な方向に弾性変形するようになっている。バネ部５１ｂは、一つの基部５１ａに対して対に形成されている。この一対のバネ部５１ｂは、互いの板状面が略同じ方向を向くように配設されている。また、一対のバネ部５１ｂは、上下方向に間隔を空けて並べて配置され、その板状面が図においてＸ軸方向を向くように配設されている。
【００５０】
側面当接部５１ｄは、基部５１ａから突出している一対のバネ部５１ｂの突出方向先端部から屈曲線を介して折れ曲がった形状に突出するように形成されている。側面当接部５１ｄと一対のバネ部５１ｂは、屈曲線を介して一体に形成されている。側面当接部５１ｄは、矩形板状に形成され、一端側がバネ部５１ｂと一体となっており、一端側から他端側にかけて図においてＹ軸方向に延在している。側面当接部５１ｄは、その板状面が図においてＸ軸方向を向くように配設されている。側面当接部５１ｄの他端側からＸ軸方向に延在するように取付部５１ｅが配設されている。
【００５１】
押し付け部５１ｃは、板状に形成され側面当接部５１ｄから後方内側向きに突出するように配設されている。押し付け部５１ｃの板状面は、後述するコンデンサ枠６１の当接面６１ｂに当接されるようになっている。
【００５２】
一対の側面当接部５１ｄの内の一方側の側面当接部５１ｄは、その板状面が第一壁部４１ｃの板状面と対向している。そして、この一方側の側面当接部５１ｄに、Ｘ軸ツマミ１１の先端部が当接している。Ｘ軸ツマミ１１の先端部は、一方側の側面当接部５１ｄにおいて、側面当接部５１ｄの取付部５１ｅ側の端部に接するようになっている。
【００５３】
取付部５１ｅは、矩形板状に形成され、図においてその板状面がＹ軸方向を向くように配設されている。即ち、取付部５１ｅは、側面当接部５１ｄに対して略直角に配設されている。図において、取付部５１ｅのＸ軸方向両端部からＹ軸方向に延在するように側面当接部５１ｄがそれぞれ配設されている。
【００５４】
取付部５１ｅは、その板状面がフレーム枠４１の第二壁部４１ｄの板状面と対向するように配設されている。取付部５１ｅには、第二壁部４１ｄに配設されたＹ軸ツマミ１２の先端部１２ｂが接している。Ｙ軸ツマミ１２は、第二壁部４１ｄにおいて、Ｙ軸ツマミ１２の軸方向延長線が、略コンデンサレンズＢの光軸Ｌ付近を通る位置に配設されている。
【００５５】
取付部５１ｅには、二本のスリット状のガイド孔２３が互いに平行に形成されている。このガイド孔２３は、取付部５１ｅの表裏を貫通し、その開口部が上下方向に延在するように配設されている。このガイド孔２３を貫通するように、後述するコンデンサ枠６１に設けられたガイドビス３２が配設されている。コンデンサレンズＢは、コンデンサ枠６１及びガイドビス２０を介して、取付部５１ｅに取り付けられている。
【００５６】
折り曲げ部５１ｆは、取付部５１ｅの下端部を折り曲げた形状に形成されコンデンサ枠６１の下側端部に当接されている。また、この折り曲げ部５１ｆにＺ軸ツマミ１３の先端部が当接されている。Ｚ軸ツマミ１３は、第二壁部４１ｄにおいて、Ｚ軸ツマミ１３の中心軸の延長線が、略コンデンサレンズＢの中心軸付近を通る位置に配設されている。尚、弾性部材５１は、一枚の金属板を折り曲げ及び打ち抜き加工して形成している。
【００５７】
コンデンサレンズＢは、コンデンサ枠６１に固定されている。コンデンサ枠６１は、略円筒状に形成され、内部にコンデンサレンズＢが嵌め込まれている。コンデンサ枠６１の側面には、弾性部材５１に取り付けられる面である取付面６１ａが形成されている。この取付面６１ａは、略平面状に形成されている。コンデンサ枠６１の取付面６１ａには、一対のガイドビス３２が突設されている。ガイドビス３２は、互いに略平行に配設されている。ガイドビス３２は、取付部５１ｅのガイド孔２３に挿入されている。コンデンサ枠６１は、ガイドビス３２を介して取付部５１ｅに取り付けられている。
【００５８】
段部３２ｂは、弾性部材５１の取付部５１ｅと略同じ厚さに形成されている。そして、ネジ部３２ｃがコンデンサ枠６１にねじ込まれている。また、ガイドビス３２の段部３２ｂが、取付部５１ｅのガイド孔２３に挿入されている。ガイドビス３２は、ガイド孔２３の開口の長手方向にスライド可能になっている。
【００５９】
コンデンサ枠６１の取付面６１ａは、弾性部材５１の取付部５１ｅの内側板状面に当接されている。コンデンサ枠６１は、ガイドビス３２の段部３２ｂがガイド孔２３に嵌り、ガイドビス３２の頭部３２ａとコンデンサ枠６１によって取付部５１ｅを挟むようにして、取付部５１ｅに取り付けられている。コンデンサ枠６１は、ガイドビス３２がガイド孔２３をスライドすることにより、取付部５１ｅに対してガイド孔２３の開口長手方向に摺動する。また、コンデンサ枠６１は、コンデンサレンズＢの光軸Ｌに対し垂直な方向へは、取付部５１ｅと一体に動く。
【００６０】
コンデンサ枠６１の側面の後方側には、一対の当接面６１ｂが形成されている。この当接面６１ｂは、略平面状に形成され、押し付け部５１ｃの板状面と面接触するようになっている。そして、この当接面６１ｂに押し付け部５１ｃが押し付けられている。従って、コンデンサ枠６１は、一対の押し付け部５１ｃと取付部５１ｅとによって挟持され、コン弾性部材に対して確実に保持されるようになっている。
【００６１】
このように構成されている位置調整機構４０の作用について説明する。図１３に示す状態から、Ｘ軸ツマミ１１の操作部をつまんで回転させると、Ｘ軸ツマミ１１の先端部がより突出する方向にＸ軸ツマミ１１が移動する。即ち、図１３において右方向に移動する。そうすると、Ｘ軸ツマミ１１の先端部１１ｂが側面当接部５１ｄを押圧し、弾性部材５１の主として一対のバネ部５１ｂが弾性変形し、図１４に示すように、コンデンサ枠６１が図においてＸ軸方向に移動することとなる。従って、コンデンサレンズＢが、図においてＸ軸の正方向に移動する。図１４は、Ｘ軸ツマミ１１の先端部を最も突出させた状態を示している。
【００６２】
また、図１４に示す状態からＸ軸ツマミ１１を逆回転させ、Ｘ軸ツマミ１１を逆方向（図において左の方向）に移動させると、弾性部材５１の復元力によって、バネ部５１ｂが元に戻り、コンデンサレンズＢが図においてＸ軸の負方向に移動する。このように、Ｘ軸ツマミ１１を軸方向へ往復移動させることにより、コンデンサレンズＢのＸ軸方向の移動（位置調整）が可能となっている。
【００６３】
続いて、Ｙ軸ツマミ１２の操作部１２ａをつまんで回転させると、Ｙ軸ツマミ１２の先端部１２ｂがより突出する方向にＹ軸ツマミ１２が移動する。そうすると、Ｙ軸ツマミ１２の先端部１２ｂが取付部５１ｅを押圧するので、弾性部材５１のバネ部５１ｂが屈曲するように弾性変形し、取付部５１ｅとともにコンデンサ枠６１が、図１５に示すように、Ｙ軸の正の方向に移動する。従って、コンデンサレンズＢも図においてＹ軸方向の正の方向に移動することとなる。図１５は、Ｙ軸ツマミ１２の先端部を最も突出させた状態を示している。
【００６４】
また、Ｙ軸ツマミ１２を逆回転させ、Ｙ軸ツマミ１２を逆方向に移動させると、屈曲されていたバネ部５１ｂが復元力によって、元の形状に弾性変形するので、コンデンサ枠６１が図においてＹ軸の負の方向に移動する。従って、コンデンサレンズＢも図においてＹ軸の負方向に移動する。このように、Ｙ軸ツマミ１２を軸方向に往復移動させることにより、コンデンサレンズＢのＹ軸方向の移動（位置調整）が可能となっている。
【００６５】
また、Ｚ軸ツマミ１３の操作部をつまんで回転させると、Ｚ軸ツマミ１３の先端部がより突出する方向にＺ軸ツマミ１３が移動する。そうすると、Ｚ軸ツマミ１３の先端部１３ｂが折り曲げ部５１ｆを押圧するので、折り曲げ部５１ｆは、折り曲げ部５１ｆがより折れ曲がる方向に弾性変形する。そうすると、折り曲げ部５１ｆがコンデンサ枠６１を上向きに押圧し、コンデンサ枠６１が、上方に移動する。このようにして、コンデンサレンズＢが図においてＺ軸方向に移動する。図１０は、Ｚ軸ツマミ１３の先端部を最も突出させた状態を示している。
【００６６】
Ｚ軸ツマミ１３を逆回転させ、Ｚ軸ツマミ１３を逆方向に移動させると、折り曲げ部５１ｆが開き方向に弾性変形し、コンデンサ枠６１はコンデンサ枠６１の自重により下方に移動する。このように、Ｚ軸ツマミ１３を軸方向に往復移動させることにより、コンデンサレンズＢのＺ軸方向への移動（位置調整）が可能となっている。
【００６７】
上述のように構成されている光学素子の位置調整機構４０は、取付部５１ｅをコンデンサレンズＢの光軸Ｌと垂直な方向に移動するように弾性変形する弾性部材５１を有し、その取付部５１ｅにコンデンサレンズＢを取り付けているので、スライドアリ構造のようなフライス盤を使って製造するコストのかかる取付構造がなくとも位置調整ができ、低コストで製造できる。更に、位置調整機構４０は、コンデンサレンズＢの移動をガイドする弾性部材５１を一枚の板を折り曲げ及び打ち抜き加工によって形成しており、従来のスライドアリ構造を有する位置調整機構と比べて部品点数及び加工工数が少ないので、低コストで製造することができる。
【００６８】
更に、位置調整機構４０は、１対の基部５１ａによって固定されているのでより安定である。位置調整機構４０は、一対の押し付け部５１ｃによって、コンデンサ枠６１の側面を支持しているので、コンデンサ枠６１を移動させた際にもブレにくい。また、弾性部材５１は、Ｘ軸方向に間隔を空けて配設された一対の基部５１ａによって、フレーム枠４１に対して支持されている。そして、一対の基部５１ａの間にコンデンサ枠６１が配設されている。従って、弾性部材５１は、コンデンサレンズＢ及びコンデンサ枠６１がより重い場合においても、片持ち式の場合よりも安定的にコンデンサ枠６１を保持することができる。更に、振動にも強く安定してコンデンサ枠６１を支持することができる。
【００６９】
また、弾性部材５１は、Ｘ軸方向に間隔を空けて配設されたバネ部５１を有している。そして、このバネ部５１ｂは、上述のように複数回折り曲げられている。従って、コンデンサ枠６１をＸ軸方向へ移動させる際には、一対のバネ部５１ｂのうち一方のバネ部５１ｂが伸び、他方のバネ部５１ｂが縮むことにより、コンデンサ枠６１をＸ軸方向に平行移動させることができる。また、同様にＹ軸方向に平行移動させることができる。従って、的確な位置調整が容易にできる。
【００７０】
尚、上述の実施の形態１及び実施の形態２においては、位置調整機構が正立型の顕微鏡ＡのコンデンサレンズＢに適用された場合を示しているが、例えば、倒立型顕微鏡ＡのコンデンサレンズＢに適用してもよい。その場合、コンデンサレンズＢがステージＣの上方に配設されるので、当然、位置調整機構もステージＣの上方に配設される。また、本実施の形態において位置調整する光学素子は、コンデンサレンズＢであったが、コンデンサレンズＢ以外の光学素子であってもよい。
【００７１】
上述の実施の形態１及び実施の形態２においては、金属板を折り曲げ成形して弾性部材を形成しているが、弾性部材は、金属製でなくとも、光学素子の光軸に垂直な方向に弾性変形する弾性部材であればよい。上述の実施の形態１及び実施の形態２においては、Ｘ軸ツマミ１１とＹ軸ツマミ１２とＺ軸ツマミ１３は、弾性部材に当接されているが、コンデンサ枠に直接当接させてもよい。
【００７２】
上述の実施の形態１及び実施の形態２においては、光学素子のＺ軸の負方向への移動は、コンデンサレンズ及びコンデンサ枠の自重によるが、コンデンサ枠の上面から押し付けるように、第二バネ部２ｃ或いは、取付部５１ｅの上部を折り曲げて、コンデンサ枠を下方に付勢するようにしてもよい。また、コンデンサレンズ及びコンデンサ枠の重みによって、弾性部材がたわむ場合は、ビードを形成し剛性をあげるとよい。
【符号の説明】
【００７３】
Ｂ      光学素子
２      弾性部材
２ａ    基部（固定部）
２ｂ    第一バネ部（延在部）
２ｃ    第二バネ部（延在部）
【図１】
2010281976.tif 000003
【図２】
2010281976.tif 000004
【図３】
2010281976.tif 000005
【図４】
2010281976.tif 000006
【図５】
2010281976.tif 000007
【図６】
2010281976.tif 000008
【図７】
2010281976.tif 000009
【図８】
2010281976.tif 000010
【図９】
2010281976.tif 000011
【図１０】
2010281976.tif 000012
【図１１】
2010281976.tif 000013
【図１２】
2010281976.tif 000014
【図１３】
2010281976.tif 000015
【図１４】
2010281976.tif 000016
【図１５】
2010281976.tif 000017